Podtech/llm-jp-corpus-v4-ja_patent huggingface dataset:
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
少なくとも対象ブロックを含む第１のピクチャを含むデータを取得し、
インター予測モードにおいて少なくとも動きベクトルがマージブロックから予測されるかどうかを特定するためのマージフラグを決定し、
前記インター予測モードにおいて少なくとも動きベクトルが前記マージブロックから予測されることが前記マージフラグにより特定される場合に、前記対象ブロックの少なくとも１つの隣接ブロックから第１の動きベクトルの候補を決定し、
前記インター予測モードにおいて少なくとも動きベクトルが前記マージブロックから予測されることが前記マージフラグにより特定される場合に、前記第１のピクチャとは異なる第２のピクチャに含まれる参照ブロックから第２の動きベクトルの候補を決定し、
前記少なくとも１つの隣接ブロックと前記参照ブロックとのうちから前記マージブロックを指定するマージインデックスを決定し、
前記マージインデックスに従って前記第１の動きベクトルの候補及び前記第２の動きベクトルの候補のいずれか１つから前記対象ブロックの第１の動きベクトルを決定し、
前記第１の動きベクトルに従って参照画像を導き、
前記参照画像を使用する前記インター予測により予測画像を生成し、
前記予測画像と符号化画像との差分により予測誤差を導き、
前記予測誤差について少なくとも変換処理を行うことにより変換係数を導くことを備え、
前記少なくとも１つの隣接ブロックは、（１）前記対象ブロックの左下側にあるブロック、（２）前記対象ブロックの左側にあるブロック、（３）前記対象ブロックの右上側にあるブロック、（４）前記対象ブロックの上側にあるブロック、及び（５）前記対象ブロックの左上側にあるブロックのうちの少なくとも１つを備え、
前記参照ブロックは、前記対象ブロックの中心の位置または前記対象ブロックの端の位置のどちらかに従って選択されるものであり、
前記参照ブロックが前記対象ブロックの中心の位置または前記対象ブロックの端の位置のどちらに従って選択されるかは、前記対象ブロックの位置またはサイズの少なくとも１つに基づいて設定され、
前記マージフラグ、前記マージインデックス、及び前記変換係数は符号化される、動画像符号化方法。
【請求項２】
少なくとも対象ブロックを含む第１のピクチャを含む符号化データを取得し、
インター予測モードにおいて少なくとも動きベクトルがマージブロックから予測されるかどうかを特定するためのマージフラグを復号し、
前記インター予測モードにおいて少なくとも動きベクトルが前記マージブロックから予測されることが前記マージフラグにより特定される場合に、前記対象ブロックの少なくとも１つの隣接ブロックから第１の動きベクトルの候補を導き、
前記インター予測モードにおいて少なくとも動きベクトルが前記マージブロックから予測されることが前記マージフラグにより特定される場合に、前記第１のピクチャとは異なる第２のピクチャに含まれる参照ブロックから第２の動きベクトルの候補を導き、
前記少なくとも１つの隣接ブロックと前記参照ブロックとのうちから前記マージブロックを指定するマージインデックスを復号し、
前記マージインデックスに従って前記第１の動きベクトルの候補及び前記第２の動きベクトルの候補のいずれか１つから前記対象ブロックの第１の動きベクトルを導き、
前記第１の動きベクトルに従って参照画像を導き、
前記参照画像を使用する前記インター予測により予測画像を生成し、
変換係数を復号し、
前記変換係数について少なくとも逆変換処理を行うことにより予測誤差を導き、
少なくとも前記予測誤差と前記予測画像との加算により復号画像を導くことを備え、
前記少なくとも１つの隣接ブロックは、（１）前記対象ブロックの左下側にあるブロック、（２）前記対象ブロックの左側にあるブロック、（３）前記対象ブロックの右上側にあるブロック、（４）前記対象ブロックの上側にあるブロック、及び（５）前記対象ブロックの左上側にあるブロックのうちの少なくとも１つを備え、
前記参照ブロックは、前記対象ブロックの中心の位置または前記対象ブロックの端の位置のどちらかに従って選択されるものであり、
前記参照ブロックが前記対象ブロックの中心の位置または前記対象ブロックの端の位置のどちらに従って選択されるかは、前記対象ブロックの位置またはサイズの少なくとも１つに基づいて導かれる、動画像復号化方法。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
第１の表示装置、及び第２の表示装置を制御する制御装置であって、
前記第１の表示装置を管理するための第１の管理画面、及び前記第２の表示装置を管理するための第２の管理画面を表示する表示部と、
前記第１の管理画面、及び前記第２の管理画面に対する操作を受け付ける入力部と、
前記入力部が受け付けた操作に基づいて前記第１の表示装置及び前記第２の表示装置を制御する制御部と、を備え、
前記表示部は、前記第１の管理画面と、前記制御装置を、前記第１の管理画面が操作可能な第１の状態から、前記第２の管理画面が操作可能な第２の状態に切り替え可能なタブと、を同一画面に表示し、
前記入力部が前記タブに対する操作を受け付けると、
前記制御部は、
前記制御装置が、前記第１の状態から前記第２の状態に切り替わると、前記第２の状態において、前記第１の状態で前記第１の管理画面で選択されていた所定の項目に対応する項目が選択された前記第２の管理画面を前記表示部に表示させ、
前記表示部は、
前記第１の管理画面と前記第２の管理画面とに表示された前記項目の値を変更するボタンを、前記第１の管理画面と前記第２の管理画面とで同じ位置に表示することを特徴とする制御装置。
【請求項２】
請求項１に記載の制御装置において、
前記項目はフォーカスであることを特徴とする制御装置。
【請求項３】
請求項１に記載の制御装置において、
前記項目はレンズシフトであることを特徴とする制御装置。
【請求項４】
請求項１乃至３のいずれか１項に記載の制御装置において、
前記制御部は、
前記第２の管理画面で第２の項目画面を選択させる場合、前記第２の項目画面の項目を初期値に設定することを特徴とする制御装置。
【請求項５】
請求項１乃至３のいずれか１項に記載の制御装置において、
前記制御部は、
前記第２の管理画面で第２の項目画面を選択させる場合、前記第２の表示装置の設定状態に基づいて、前記第２の項目画面の項目を決定することを特徴とする制御装置。
【請求項６】
請求項１乃至５のいずれか１項に記載の制御装置において、
前記制御部は、
前記所定の項目に対応する前記項目を選択するか、否かを設定スイッチに基づいて決定することを特徴とする制御装置。
【請求項７】
第１の表示装置、及び第２の表示装置を制御する制御方法であって、
前記第１の表示装置を管理するための第１の管理画面及び前記第２の表示装置を管理するための第２の管理画面を表示し、
前記第１の管理画面が操作可能な第１の状態から、前記第２の管理画面が操作可能な第２の状態への切り替わりを、前記第１の管理画面と同一画面に表示されたタブに対する操作によって判定し、
前記第１の状態から前記第２の状態への切り替わりを判定した場合、前記第２の管理画面において、前記第１の状態で前記第１の管理画面で選択されていた項目を選択し、
前記第２の管理画面に表示された前記項目の値を変更するボタンを、前記第１の管理画面と同じ位置に表示することを特徴とする制御方法。
【請求項８】
第１の表示装置、及び第２の表示装置を制御する制御プログラムであって、
前記第１の表示装置を管理するための第１の管理画面及び前記第２の表示装置を管理するための第２の管理画面を表示する機能と、
前記第１の管理画面が操作可能な第１の状態から、前記第２の管理画面が操作可能な第２の状態への切り替わりを、前記第１の管理画面と同一画面に表示されたタブに対する操作によって判定する機能と、
前記第１の状態から前記第２の状態への切り替わりを判定した場合、前記第２の管理画面において、前記第１の状態で前記第１の管理画面で選択されていた所定の項目に対応する項目を選択する機能と、
前記第２の管理画面に表示された前記項目の値を変更するボタンを、前記第１の管理画面と同じ位置に表示する機能と、をコンピューターに実行させることを特徴とする制御プログラム。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
仮想空間におけるユーザの位置と、前記仮想空間における仮想物体の位置関係を特定する特定手段と、
前記特定手段により特定された位置関係が所定の条件を満たす場合に、前記仮想物体に対応する視点の高さを特定可能な情報に基づいて、前記ユーザの視点の高さを決定する決定手段と、
を備えることを特徴とする情報処理システム。
【請求項２】
前記決定手段は、前記ユーザと前記仮想物体が接触している場合に、当該接触している仮想物体に対応する視点の高さを特定可能な情報に基づいて、当該仮想物体に接触しているユーザの視点の高さを決定することを特徴とする請求項１に記載の情報処理システム。
【請求項３】
前記決定手段は、前記ユーザが前記仮想物体にかかる平面領域に位置する場合に、当該仮想物体に対応する視点の高さを特定可能な情報に基づいて、前記平面領域に位置するユーザの視点の高さを決定することを特徴とする請求項１または２に記載の情報処理システム。
【請求項４】
前記決定手段は、前記ユーザが前記仮想物体の領域に所定の方向から侵入した場合に、前記ユーザの視点の高さを決定することを特徴とする請求項１乃至３のいずれか1項に記載の情報処理システム。
【請求項５】
特定手段が仮想空間におけるユーザの位置と、前記仮想空間における仮想物体の位置関係を特定する特定ステップと、
決定手段が、前記特定ステップにより特定された位置関係が所定の条件を満たす場合に、前記仮想物体に対応する視点の高さを特定可能な情報に基づいて、前記ユーザの視点の高さを決定する決定ステップと、を含む情報処理システムの制御方法。
【請求項６】
情報処理システムを、
仮想空間におけるユーザの位置と、前記仮想空間における仮想物体の位置関係を特定する特定手段と、
前記特定手段により特定された位置関係が所定の条件を満たす場合に、前記仮想物体に対応する視点の高さを特定可能な情報に基づいて、前記ユーザの視点の高さを決定する決定手段として機能させるためのプログラム。
【請求項７】
仮想空間におけるユーザの位置と、前記仮想空間における仮想物体の位置関係を特定する特定手段と、
前記特定手段により特定された位置関係が所定の条件を満たす場合に、前記仮想物体に応じて移動量を決定するための情報に基づいて、前記ユーザの移動量を決定する決定手段と、
を備えることを特徴とする情報処理システム。
【請求項８】
特定手段が、仮想空間におけるユーザの位置と、前記仮想空間における仮想物体の位置関係を特定する特定ステップと、
特定手段が、前記特定ステップにより特定された位置関係が所定の条件を満たす場合に、前記仮想物体に応じて移動量を決定するための情報に基づいて、前記ユーザの移動量を決定する決定ステップと、
を含む制御方法。
【請求項９】
情報処理システムを、
仮想空間におけるユーザの位置と、前記仮想空間における仮想物体の位置関係を特定する特定手段と、
前記特定手段により特定された位置関係が所定の条件を満たす場合に、前記仮想物体に応じて移動量を決定するための情報に基づいて、前記ユーザの移動量を決定する決定手段として機能させるための
を備えることを特徴とする情報処理システム。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
触覚効果を生成する方法であって、
インタフェース装置の表面に表示される第１のシミュレート領域に第１の接触入力に基づいて周期的な駆動信号を生成するステップと、
前記周期的な駆動信号を触覚出力装置に印加するステップであって、前記触覚出力装置は、前記インタフェース装置の前記表面に結合されかつ前記インタフェース装置の前記表面に第１の触覚効果を生成するように構成されるステップと、
前記インタフェース装置の前記表面に表示される第２のシミュレート領域に第２の接触入力に基づいて変更された周期的な駆動信号を生成するステップであって、前記変更された周期的な駆動信号は、前記周期的な駆動信号とは異なる振幅、周波数又は波形を有するステップと、
前記変更された周期的な駆動信号を前記触覚出力装置に印加して前記インタフェース装置の前記表面に第２の触覚効果を生成するステップであって、前記第２の触覚効果は、前記第１の触覚効果とは異なるステップと
を含む、方法。
【請求項２】
前記第１のシミュレート領域に対応する触感に少なくとも部分的に基づいて前記駆動信号を生成するステップ
をさらに含む、請求項１に記載の方法。
【請求項３】
前記第１の触覚効果は、前記第１のシミュレート領域の第１の触感をシミュレートするように構成され、前記第２の触覚効果は、前記第２のシミュレート領域の第２の触感をシミュレートするように構成される、請求項２に記載の方法。
【請求項４】
前記触感は、前記インタフェース装置の前記表面におけるスティックスリップ触感を含む、請求項２に記載の方法。
【請求項５】
前記周期的な駆動信号は、
少なくとも部分的に前記周期的な駆動信号を一時的に中断して前記インタフェース装置の前記表面において滑らかな触感をシミュレートすることによって、前記インタフェース装置の前記表面における前記スティックスリップ触感に基づいて生成される、請求項４に記載の方法。
【請求項６】
前記第１の接触入力は、第１の圧力の量を含み、前記第２の接触入力は、前記第１の圧力の量とは異なる第２の圧力の量を含み、
前記第１の接触入力の前記第１の圧力の量に少なくとも部分的に基づいて前記周期的な駆動信号を生成するステップと、
前記第２の接触入力の前記第２の圧力の量に少なくとも部分的に基づいて前記変更された周期的な駆動信号を生成するステップと
をさらに含む、請求項１に記載の方法。
【請求項７】
前記周期的な駆動信号及び前記変更された周期的な駆動信号を含む組み合わせの周期的な駆動信号を生成するステップと、
前記組み合わせの周期的な駆動信号を前記触覚出力装置に印加して前記インタフェース装置の前記表面に組み合わせの触覚効果を生成するステップと
をさらに含む、請求項１に記載の方法。
【請求項８】
前記第１の接触入力に関連付けられる記録された接触動態に少なくとも部分的に基づいて前記変更された周期的な駆動信号を生成するステップ
をさらに含む、請求項１に記載の方法。
【請求項９】
画像を取り込むステップと、
取り込まれた画像に基づいて表示される物体を生成するステップであって、前記物体は、触感のグラフィックな描写を含むステップと
をさらに含む、請求項１に記載の方法。
【請求項１０】
拡張現実環境を生成するステップと、
前記拡張現実環境において前記インタフェース装置の前記表面に前記物体を表示するステップであって、前記物体は、前記触感の前記グラフィックな描写を含むステップと
をさらに含む、請求項９に記載の方法。
【請求項１１】
前記触感の前記グラフィックな描写は、前記物体をオーバーレイするコンピュータにより生成された触感であり、前記第１のシミュレート領域は、前記物体をオーバーレイする前記コンピュータにより生成された触感に対応し、前記第１の触覚効果は、前記コンピュータにより生成された触感をシミュレートするように構成される、請求項１０に記載の方法。
【請求項１２】
前記表面は、前記インタフェース装置のタッチスクリーンディスプレイであり、前記第１のシミュレート領域は、前記タッチスクリーンディスプレイに出力された画像の一部に対応する、請求項１に記載の方法。
【請求項１３】
前記周期的な駆動信号は、第１の周期的な駆動信号であり、
前記第１の周期的な駆動信号と第２の周期的な駆動信号を組み合わせることにより前記変更された周期的な駆動信号を生成するステップ
をさらに含む、請求項１に記載の方法。
【請求項１４】
プロセッサによって実行可能なプログラムコードを含む非一時的なコンピュータ可読媒体であって、前記プログラムコードは、請求項１〜１３のいずれか１項に記載の方法を前記プロセッサに行わせる、非一時的なコンピュータ可読媒体。
【請求項１５】
触覚出力装置と、
前記触覚出力装置に通信可能に結合されるプロセッサと、
前記プロセッサによって実行可能な命令を有するメモリであって、前記命令は、請求項１〜１３のいずれか１項に記載の方法を前記プロセッサに行わせるメモリと
を備える、システム。
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
情報処理装置を、
第１の部品の穴の位置と、前記第１の部品の奥側に位置する第２の部品の位置に基づいて特定される、前記奥側に前記第２の部品がある穴を特定する特定手段として機能させるためのプログラム。
【請求項２】
前記特定手段を、奥側に前記第２の部品がある穴の中心位置を特定する手段として機能させるための請求項１に記載のプログラム。
【請求項３】
前記情報処理装置を、
前記特定手段により特定された穴を識別表示する識別表示手段として機能させるための請求項１又は２に記載のプログラム。
【請求項４】
前記情報処理装置を、
前記特定手段により特定された穴の位置を、前記第２の部品を打ち出す位置として決定する決定手段として機能させるための請求項１乃至３のいずれか１項に記載のプログラム。
【請求項５】
前記情報処理装置を、
奥側に前記第２の部品がある穴を介して当該第２の部品を打ち出す第３の部品の平面座標上の位置決定する座標決定手段として機能させるための請求項１乃至４のいずれか１項に記載のプログラム。
【請求項６】
前記情報処理装置を、
前記特定手段により特定された穴を介して前記第２の部品を打ち出す第３の部品の形状を、前記穴を介して前記第２の部品を打ち出し可能な形状に決定する形状決定手段として機能させるための請求項１乃至５のいずれか１項に記載のプログラム。
【請求項７】
前記情報処理装置を、
前記穴を介して前記第２の部品を打ち出す第３の部品のサイズを、前記穴を介して前記第２の部品を打ち出し可能なサイズに決定するサイズ決定手段として機能させるための請求項１乃至６のいずれか１項に記載のプログラム。
【請求項８】
第１の部品の穴の位置と、前記第１の部品の奥側に位置する第２の部品の位置に基づいて特定される、前記奥側に前記第２の部品がある穴を特定する特定手段
を備えることを特徴とする情報処理装置。
【請求項９】
情報処理装置の特定が、第１の部品の穴の位置と、前記第１の部品の奥側に位置する第２の部品の位置に基づいて特定される、前記奥側に前記第２の部品がある穴を特定する特定工程
を含む制御方法。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
プロセッサと、
メモリと、
光信号を受け取る光センサと、
を備え、前記プロセッサが、周波数２倍周波数（Ｆ２Ｆ）符号化された光信号を復号して、該復号済み情報をメモリに記憶する、
ことを特徴とするカード。
【請求項２】
前記光センサが、前記受け取った光信号の複数の色を検出する、
ことを特徴とする請求項１に記載のカード。
【請求項３】
前記光センサが、前記受け取った光信号間の色の遷移を検出する、
ことを特徴とする請求項１に記載のカード。
【請求項４】
前記光センサが、前記受け取った光信号の複数の強度を検出する、
ことを特徴とする請求項１に記載のカード。
【請求項５】
第１の光センサとプロセッサを含むカードと、
光信号を生成する装置と、
を備え、前記カードが、前記第１の光センサにより検出された前記光信号を介して前記装置から情報を受け取り、前記プロセッサが、前記光信号の周波数に関係なく前記情報を復号する、
ことを特徴とするシステム。
【請求項６】
装置から光パルスを生成するステップと、
前記光パルスをカードによって検出するステップと、
プロセッサにより、前記検出した光パルスを、前記パルスの周波数に関係なく、前記装置から前記カードに通信された情報として復号するステップと、
を含むことを特徴とする方法。
【請求項７】
プロセッサ手段と、
メモリ手段と、
光信号を受け取る光センサ手段と、
を備え、前記プロセッサ手段が、周波数２倍周波数（Ｆ２Ｆ）符号化された光信号を復号して、該復号済み情報を前記メモリ手段に記憶する、
ことを特徴とするカード。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
運送サービスを提供する前又は提供中に操作可能となっている管理端末と、
前記運送サービスに対する運賃情報が確定した後で、取引情報及び前記運賃情報を運賃測定手段から取得するホスト端末と、
を備え、
前記ホスト端末は前記運賃測定手段から取得した前記取引情報と、運送サービスを提供する前又は提供中にユーザ端末又は前記管理端末から取得した取引情報とを用いて、運送サービスを提供する前又は提供中に前記ユーザ端末又は前記管理端末から取得したユーザ情報と、前記運賃情報とを紐づけることを特徴とする精算システム。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
圃場において栽培されている１以上の農産物を管理する管理装置を備え、
前記管理装置は、
撮像装置が撮像した前記１以上の農産物の画像の画像データを取得する画像データ取得部と、
前記画像データ取得部が取得した画像データに基づいて、前記画像に含まれる前記１以上の農産物のそれぞれを認識する画像認識処理を実行する認識部と、
（ｉ）前記認識部が認識した前記１以上の農産物のそれぞれの収量の合計、又は、（ｉｉ）前記認識部が認識した前記１以上の農産物の基準単位あたりの収量に基づいて、前記認識部による前記画像認識処理の結果が正常であるか否かを判定する判定部と、
を備える、情報処理装置。
【請求項２】
前記判定部は、前記収量の合計又は前記基準単位あたりの収量が予め定められた条件を満足するか否かに基づいて、前記画像認識処理の結果が正常であるか否かを判定する、
請求項１に記載の情報処理装置。
【請求項３】
前記判定部は、
前記画像に含まれる複数の株について、各株の収量の合計値又は基準単位当たりの収量を算出し、
各株の画像認識処理の結果が正常であるか否かを統計的に判断する、
請求項１又は請求項２に記載の情報処理装置。
【請求項４】
前記認識部は、前記判定部が前記画像認識処理の結果が正常でないと判定した場合、異なる条件の下で画像認識処理を実行する、
請求項１から請求項３までの何れか一項に記載の情報処理装置。
【請求項５】
前記収量は、個数又は質量である、
請求項１から請求項４までの何れか一項に記載の情報処理装置。
【請求項６】
前記基準単位は、（ｉ）前記圃場の単位面積、（ｉｉ）単位株数、又は、（ｉｉｉ）前記１以上の農産物を収穫可能な空間の単位体積である、
請求項１から請求項５までの何れか一項に記載の情報処理装置。
【請求項７】
圃場において栽培されている１以上の農産物に対する作業を支援する支援装置をさらに備え、
前記支援装置は、
前記１以上の農産物の需要に関する情報であって、株から分離される農産物の品質に関する品質条件を含む需要情報を取得する需要情報取得部と、
前記１以上の農産物の中から、前記品質条件を満足する農産物を抽出する抽出部と、
前記抽出部が抽出した農産物の中から、前記需要に対する前記作業の対象として、株から分離されるべき分離対象を決定する分離対象決定部と、
を有する、
請求項１から請求項６までの何れか一項に記載の情報処理装置。
【請求項８】
圃場において栽培されている１以上の農産物に対する作業を支援する支援装置を備え、
前記支援装置は、
前記１以上の農産物の需要に関する情報であって、株から分離される農産物の品質に関する品質条件を含む需要情報を取得する需要情報取得部と、
前記１以上の農産物の中から、前記品質条件を満足する農産物を抽出する抽出部と、
前記抽出部が抽出した農産物の中から、前記需要に対する前記作業の対象として、株から分離されるべき分離対象を決定する分離対象決定部と、
情報処理装置。
【請求項９】
前記抽出部が前記農産物を抽出するための条件を決定する抽出条件決定部をさらに備え、
前記需要情報取得部は、（ｉ）前記品質条件及び（ｉｉ）前記農産物の数量に関する数量条件を含む前記需要情報を取得し、
前記抽出条件決定部は、前記抽出部の抽出結果が前記品質条件及び前記数量条件を満足するように、前記農産物を抽出するための前記条件を決定する、
請求項８に記載の情報処理装置。
【請求項１０】
前記農産物を抽出するための前記条件は、前記１以上の農産物のうち、前記品質条件を満足する農産物の中から、前記数量条件を満足する数量の農産物を抽出するという条件を含む、
請求項９に記載の情報処理装置。
【請求項１１】
圃場において栽培されている１以上の農産物に対する作業を支援する支援装置を備え、
前記支援装置は、
前記作業を実施する作業者又は作業機械の属性を示す属性情報を取得する属性情報取得部と、
前記属性情報取得部が取得した前記属性情報に基づいて、前記抽出部が前記農産物を抽出するための条件を決定する抽出条件決定部と、
をさらに備える、
請求項８に記載の情報処理装置。
【請求項１２】
コンピュータを、請求項１から請求項１１までの何れか一項に記載の情報処理装置として機能させるための、プログラム。
【手続補正２】
【補正対象書類名】明細書
【補正対象項目名】発明の名称
【補正方法】変更
【補正の内容】
【発明の名称】情報処理装置及びプログラム
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
放射入力ビームを受け取る音響光学媒質と、
前記音響光学媒質に取り付けられた少なくとも１つの圧電トランスデューサと、
少なくとも３つの周波数成分を含む駆動信号を前記少なくとも１つの圧電トランスデューサに印加するよう連結された駆動回路であって、前記少なくとも３つの周波数成分は、ゴロム定規を定義し、かつ、前記音響光学媒質に、それぞれの周波数により決定されるそれぞれのビーム角度で前記放射入力ビームを複数の出力ビームに分割させるように選定されるそれぞれの周波数を有する、駆動回路と
を備える光学装置。
【請求項２】
前記駆動信号の前記少なくとも３つの周波数成分は、前記複数の出力ビームが等しいそれぞれの強度を有するように選択される異なるそれぞれの振幅を有する、請求項１記載の装置。
【請求項３】
複数の圧電トランスデューサのアレイが取り付けられた音響光学媒質に入射するように放射入力ビームを方向付ける段階と、
前記音響光学媒質に、異なるそれぞれの第１、第２および第３周波数により決定されるそれぞれのビーム角度で前記放射入力ビームを少なくとも第１、第２および第３出力ビームに分割させるようにそれぞれの駆動信号を前記複数の圧電トランスデューサに印加する段階と、
を備え、
それぞれの前記駆動信号は少なくとも、前記異なるそれぞれの第１、第２および第３周波数にあり、かつ、前記複数の圧電トランスデューサのそれぞれでの第１、第２および第３周波数成分について異なるそれぞれの位相オフセットを有する、第１、第２および第３周波数成分、を含み、
前記少なくとも第１、第２および第３周波数が、ゴロム定規を定義する、光学方法。
【請求項４】
前記第１および第２周波数でのそれぞれの前記位相オフセットは、前記第１および第２周波数にある音波が異なるそれぞれの第１および第２波面角度で前記音響光学媒質を伝搬するように選択される、請求項３に記載の方法。
【請求項５】
前記第１および第２波面角度は、前記第１および第２周波数により決定されるそれぞれの前記ビーム角度でそれぞれのＢｒａｇｇ条件を満たすように選択される、請求項４に記載の方法。
【請求項６】
それぞれの前記駆動信号を印加する前記段階は、第３周波数にあり、前記第１および第２周波数成分とは異なる位相オフセットを有する少なくとも第３周波数成分を印加する段階をさらに有する、請求項３から５のいずれか一項に記載の方法。
【請求項７】
前記駆動信号を印加する前記段階は、前記少なくとも第１および第２出力ビームが等しいそれぞれの強度を有するように選択される異なるそれぞれの振幅を有するよう前記駆動信号の前記少なくとも第１および第２周波数成分を設定する段階を有する、請求項３から６のいずれか一項に記載の方法。
【請求項８】
少なくとも１つの圧電トランスデューサが取り付けられた音響光学媒質に入射するように放射入力ビームを方向付ける段階と、
駆動信号を前記少なくとも１つの圧電トランスデューサに印加する段階と、
を備え、
前記駆動信号は、ゴロム定規を定義し、かつ、前記音響光学媒質に、それぞれの周波数により決定されるそれぞれのビーム角度で前記放射入力ビームを複数の出力ビームに分割させるように選定されるそれぞれの周波数を含む少なくとも３つの周波数成分を有する、光学方法。
【請求項９】
前記駆動信号を印加する前記段階は、前記複数の出力ビームが等しいそれぞれの強度を有するように選択される異なるそれぞれの振幅を有するよう前記駆動信号の前記少なくとも３つの周波数成分を設定する段階を有する、請求項８に記載の方法。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
コンピュータを、
電子文書に対して所定のルールを満たすか否かを判定する判定手段と、
前記判定手段の判定により、前記所定のルールを満たす前記電子文書の送信先に係る情報と満たさない前記電子文書の送信先に係る情報とを識別して表示制御する表示制御手段と、
して機能させるためのプログラム。
【請求項２】
前記表示制御手段が、前記所定のルールを満たす前記電子文書の送信先に係る情報と満たさない前記電子文書の送信先に係る情報との表示態様を変えて識別し表示制御するよう機能させるための請求項１に記載のプログラム。
【請求項３】
前記判定手段が、前記電子文書の送信先に係る情報が予め定めたグループに属するか否かを判定するための所定のルールを適用して判定を行うよう機能させるための請求項１または２に記載のプログラム。
【請求項４】
前記判定手段が、前記電子文書の送信先に係る情報が予め定めた同一のグループに属するか否かを判定する所定のルールを適用して判定を行うよう機能させるための請求項３に記載のプログラム。
【請求項５】
前記送信先に係る情報は、送信元に係る情報又は／及び送信先に係る情報であることを特徴とする請求項１乃至４の何れか１項に記載のプログラム。
【請求項６】
電子文書を記憶する情報処理装置であって、
前記電子文書に対して所定のルールを満たすか否かを判定する判定手段と、
前記判定手段の判定により、前記所定のルールを満たす前記電子文書の送信先に係る情報と満たさない前記電子文書の送信先に係る情報とを識別して表示制御する表示制御手段と、
を備えたことを特徴する情報処理装置。
【請求項７】
電子文書を記憶する情報処理装置の制御方法であって、
前記情報処理装置は、
電子文書に対して所定のルールを満たすか否かを判定する判定ステップと、
前記判定ステップの判定により、前記所定のルールを満たす前記電子文書の送信先に係る情報と満たさない前記電子文書の送信先に係る情報とを識別して表示制御する表示制御ステップと、
を実行することを特徴する情報処理装置の制御方法。
【手続補正２】
【補正対象書類名】明細書
【補正対象項目名】発明の名称
【補正方法】変更
【補正の内容】
【発明の名称】情報処理装置、制御方法、及びプログラム
【手続補正３】
【補正対象書類名】明細書
【補正対象項目名】００１０
【補正方法】変更
【補正の内容】
【００１０】
本発明は、上記課題を鑑みて、電子文書を所有すべきでない者を容易に確認することが可能な仕組みを提供することを目的とする。
【手続補正４】
【補正対象書類名】明細書
【補正対象項目名】００１１
【補正方法】変更
【補正の内容】
【００１１】
上記課題を解決するための本発明は、コンピュータを、電子文書に対して所定のルールを満たすか否かを判定する判定手段と、前記判定手段の判定により、前記所定のルールを満たす前記電子文書の送信先に係る情報と満たさない前記電子文書の送信先に係る情報とを識別して表示制御する表示制御手段と、して機能させるためのプログラムである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本発明によれば、電子文書を所有すべきでない者を容易に確認することが可能となる、という効果を奏する。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
可視光透明基材と、
可視光透明基材の上または中に交互配置された複数の第１の領域および第２の領域を備え、
第１の領域のそれぞれは、第１の幅を有しかつ複数の第１の囲まれた開口を画定する複数の第１の配線を含む第１のメッシュバーを備え、第１のメッシュバーのそれぞれは電子的装置と接触するための導電性のパッドに電気的に接続されており、
第２の領域のそれぞれは、電子的装置と接触するための導電性のパッドに電気的に接続されていない第２のメッシュバーを備え、第２のメッシュバーのそれぞれは連続的なメッシュ内に複数の選択的な断絶部を有し、
５ｍｍ×５ｍｍの正方形区域を有する交互配置された複数の第１の領域および第２の領域に関し、該正方形区域のいずれもが該正方形区域全体の平均から５０％超異なる遮蔽面積率を有しない、
タッチスクリーンセンサ用のパターン化された基材。
【請求項２】
該正方形区域のいずれもが該正方形区域全体の平均から２５％超異なる遮蔽面積率を有しない、請求項１に記載のパターン化された基材。
【請求項３】
該正方形区域のいずれもが該正方形区域全体の平均から１０％超異なる遮蔽面積率を有しない、請求項１に記載のパターン化された基材。
【請求項４】
第１のメッシュバーのそれぞれにおいて、第１のメッシュバーの第１の配線と、第１のメッシュバーに接続される導電性のパッドとが、同一の金属を含む導電性材料で構成され、かつ、略同一の厚さを有する、請求項１ないし３のいずれかに記載のパターン化された基材。
【請求項５】
第１のメッシュバーのそれぞれが、少なくとも９０％の開口を有する、請求項１ないし４のいずれかに記載のパターン化された基材。
【請求項６】
第１のメッシュバーのそれぞれが、９５〜９９．５％の開口を有する、請求項１ないし４のいずれかに記載のパターン化された基材。
【請求項７】
可視光透明基材がガラスを含む、請求項１ないし６のいずれかに記載のパターン化された基材。
【請求項８】
可視光透明基材がポリマーを含む、請求項１ないし６のいずれかに記載のパターン化された基材。
【請求項９】
第１のメッシュバーのそれぞれが、ランダムな形状のセルを含む、請求項１ないし８のいずれかに記載のパターン化された基材。
【請求項１０】
第１のメッシュバーおよび第２のメッシュバーの配線の幅が、０．５〜２５マイクロメートルである、請求項１ないし９のいずれかに記載のパターン化された基材。
【請求項１１】
請求項１ないし１０のいずれかに記載のパターン化された基材を含む、タッチスクリーンセンサ。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
透明基板および前記透明基板上に形成され、所望の光学濃度（ＯＤ値）を有する遮光膜を有するフォトマスクブランクスを準備するフォトマスクブランクス準備工程と、
前記遮光膜をエッチングすることにより遮光膜パターンを形成する遮光膜パターン形成工程と、
前記遮光膜パターンの表面を平滑化する平滑化処理工程と、を有し、
前記平滑化処理工程が、ドライエッチングにより平滑化する工程であることを特徴とするフォトマスクの製造方法。
【請求項２】
前記ドライエッチングにより平滑化する工程が、塩素系のガス、フッ素系のガス、および酸素系のガスからなる群から選択される少なくとも一つのガスを用いてプラズマ処理を行う工程であることを特徴とする請求項１に記載のフォトマスクの製造方法。
【請求項３】
前記平滑化工程は、前記平滑化処理工程後の前記遮光膜パターンの表面の算術平均粗さ（Ｒａ）が０．４ｎｍ以下となるように行う工程である請求項１または請求項２に記載のフォトマスクの製造方法。
【請求項４】
前記遮光膜の材料がモリブデンシリサイド系材料であることを特徴とする請求項１から請求項３までのいずれかの請求項に記載のフォトマスクの製造方法。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
基板の上のインプリント材に型を接触させ該インプリント材のパターンを形成するインプリント装置であって、
複数のアライメントスコープと、
前記複数のアライメントスコープからの出力に基づいて前記基板のショット領域と前記型との重ね合わせを制御する制御部と、を備え、
前記複数のアライメントスコープのそれぞれは、前記ショット領域の複数の第１マークから選択される第１マークと前記型の複数の第２マークから選択される第２マークとの相対位置を示す情報を出力し、
前記制御部は、前記複数のアライメントスコープからそれぞれ出力される複数の情報を相互に比較し、情報間の乖離量が基準値を超える場合には、当該基準値を超える情報を、前記基板を要因として生じる異常な情報と特定し、前記複数の情報のうち前記異常な情報を除く情報に基づいて、前記ショット領域と前記型との重ね合わせを制御する、
ことを特徴とするインプリント装置。
【請求項２】
前記制御部は、前記複数の情報を相互に比較する際に、各アライメントスコープから出力される情報を処理して得られる信号のコントラスト、歪および強度の少なくとも１つの指標を用いて、前記異常な情報を特定する、
ことを特徴とする請求項１に記載のインプリント装置。
【請求項３】
前記制御部は、前記複数のアライメントスコープから選択されるアライメントスコープに、前記異常な情報に係る第１マークおよび第２マークの対とは異なる対を構成する第１マークおよび第２マークを観察させ、これにより得られる情報を、前記異常な情報の代わりに利用して、前記ショット領域と前記型との重ね合わせを制御する、
ことを特徴とする請求項１又は２に記載のインプリント装置。
【請求項４】
前記制御部は、前記複数のアライメントスコープのうち前記異常な情報を除く情報を出力したアライメントスコープに、既に観察した第１マークおよび第２マークの再観察を行わせ、前記異常な情報を除く情報の他、前記再観察によって得られる情報に基づいて、前記ショット領域と前記型との重ね合わせを制御する、
ことを特徴とする請求項１乃至３のいずれか１項に記載のインプリント装置。
【請求項５】
前記制御部は、前記異常な情報が発生した場合に、前記異常な情報を除く情報の他、前記基板とは異なる基板について前記複数のアライメントスコープを使って過去に得られた情報に基づいて、前記ショット領域と前記型との重ね合わせを制御する、
ことを特徴とする請求項１乃至４のいずれか１項に記載のインプリント装置。 
【請求項６】
前記過去に得られた情報は、前記基板とは異なる基板の複数のショット領域のうち前記ショット領域と設計上の位置が同一の位置に配置されたショット領域について前記複数のアライメントスコープを使って過去に得られた情報である、
ことを特徴とする請求項５に記載のインプリント装置。
【請求項７】
前記制御部は、前記異常な情報が発生した場合に、前記異常な情報を除く情報の他、前記基板の他のショット領域について前記複数のアライメントスコープを用いて過去に得られた情報に基づいて、前記ショット領域と前記型との重ね合わせを制御する、
ことを特徴とする請求項１乃至４のいずれか１項に記載のインプリント装置。 
【請求項８】
請求項１乃至７のいずれか１項に記載のインプリント装置を用いて基板にパターンを形成する工程と、
前記パターンが形成された前記基板を処理する工程と、
を含むことを特徴とする物品製造方法。
【請求項９】
基板の上のインプリント材に型を接触させ該インプリント材のパターンを形成するインプリント装置における前記基板と前記型との位置合わせ方法であって、
複数のアライメントスコープのそれぞれが、前記基板のショット領域の複数の第１マークから選択される第１マークと前記型の複数の第２マークから選択される第２マークとの相対位置を示す情報を出力し、
前記複数のアライメントスコープからそれぞれ出力される複数の情報を相互に比較し、
情報間の乖離量が基準値を超える場合には、当該基準値を超える情報を、前記基板を要因として生じる異常な情報と特定し、前記複数の情報のうち前記異常な情報を除いた情報に基づいて、前記ショット領域と前記型との位置合わせすることを特徴とする位置合わせ方法。
【手続補正２】
【補正対象書類名】明細書
【補正対象項目名】０００７
【補正方法】変更
【補正の内容】
【０００７】
本発明の１つの側面は、基板の上のインプリント材に型を接触させ該インプリント材のパターンを形成するインプリント装置に係り、前記インプリント装置は、複数のアライメントスコープと、前記複数のアライメントスコープからの出力に基づいて前記基板のショット領域と前記型との重ね合わせを制御する制御部と、を備え、前記複数のアライメントスコープのそれぞれは、前記ショット領域の複数の第１マークから選択される第１マークと前記型の複数の第２マークから選択される第２マークとの相対位置を示す情報を出力し、前記制御部は、前記複数のアライメントスコープからそれぞれ出力される複数の情報を相互に比較し、情報間の乖離量が基準値を超える場合には、当該基準値を超える情報を、前記基板を要因として生じる異常な情報と特定し、前記複数の情報のうち前記異常な情報を除く情報に基づいて、前記ショット領域と前記型との重ね合わせを制御する。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技状態を制御する遊技状態制御手段と、
識別情報の可変表示を行い、表示結果を導出表示する可変表示実行手段と、
演出実行手段と、
を備え、
前記遊技状態制御手段は、遊技者にとって有利な有利状態と、前記有利状態とは異なる特殊状態と、前記有利状態及び前記特殊状態とは異なる特別状態とに制御可能であり、
前記有利状態として、複数種類の有利状態があり、
前記特別状態として、第１特別状態と、前記第１特別状態よりも前記特殊状態により遊技価値が付与されやすい第２特別状態と、があり、
前記第１特別状態において所定条件が成立したことに基づいて、前記第１特別状態から前記第２特別状態へ移行可能であり、
前記遊技状態制御手段は、特定の種類の前記有利状態に制御されたことに基づいて、前記第２特別状態に制御可能であり、
前記可変表示実行手段は、前記所定条件が成立する際に、特定変動パターンにより可変表示を行うことが可能であり、
前記演出実行手段は、前記特定変動パターンの可変表示に対応して、前記第２特別状態への移行を報知する報知演出を実行可能である、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本願発明に係る遊技機は、遊技を行うことが可能な遊技機であって、遊技状態を制御する遊技状態制御手段と、識別情報の可変表示を行い、表示結果を導出表示する可変表示実行手段と、演出実行手段と、を備え、前記遊技状態制御手段は、遊技者にとって有利な有利状態と、前記有利状態とは異なる特殊状態と、前記有利状態及び前記特殊状態とは異なる特別状態とに制御可能であり、前記有利状態として、複数種類の有利状態があり、前記特別状態として、第１特別状態と、前記第１特別状態よりも前記特殊状態により遊技価値が付与されやすい第２特別状態と、があり、前記第１特別状態において所定条件が成立したことに基づいて、前記第１特別状態から前記第２特別状態へ移行可能であり、前記遊技状態制御手段は、特定の種類の前記有利状態に制御されたことに基づいて、前記第２特別状態に制御可能であり、前記可変表示実行手段は、前記所定条件が成立する際に、特定変動パターンにより可変表示を行うことが可能であり、前記演出実行手段は、前記特定変動パターンの可変表示に対応して、前記第２特別状態への移行を報知する報知演出を実行可能である、ことを特徴とする。
（１）上記目的を達成するため、他の遊技機は、遊技を行うことが可能な遊技機（例えば、遊技を行うことが可能なパチンコ遊技機１）であって、遊技状態を制御する遊技状態制御手段（例えば、図６に示す、遊技制御用マイクロコンピュータ１００（具体的には、ＣＰＵ１０３）におけるステップＳ１２０〜Ｓ１２８を実行する部分）と、識別情報（例えば、特別図柄）の可変表示を行い、表示結果を導出表示する可変表示実行手段（例えば、図４に示す、遊技制御用マイクロコンピュータ１００（具体的には、ＣＰＵ１０３）におけるステップＳ２５Ａ，Ｓ２５Ｂを実行する部分）と、演出実行手段（例えば、演出制御用ＣＰＵ１２０）と、を備え、前記遊技状態制御手段は、遊技者にとって有利な有利状態（例えば、大当り遊技状態）と、前記有利状態とは異なる特殊状態（例えば、小当り遊技状態）と、前記有利状態及び前記特殊状態とは異なる特別状態（例えば、ＫＴ状態）とに制御可能であり、前記特別状態として、第１特別状態（例えば、第１ＫＴ状態）と、前記第１特別状態よりも前記特殊状態により遊技価値が付与されやすい第２特別状態（例えば、第２ＫＴ状態）と、があり、前記第１特別状態において所定条件が成立（例えば、第１ＫＴ状態に制御されてから規定変動回数［例えば、４０回、６５回または９０回］の可変表示の実行や、第１ＫＴ状態に制御されてから規定遊技回数［例えば、３０回または７０回］の小当り遊技の実行や、第１ＫＴ状態に制御されている際に直撃大当り［確変大当りＡ］に基づく大当り遊技の実行）したことに基づいて、前記第１特別状態から前記第２特別状態へ移行可能であり、前記可変表示実行手段は、前記所定条件が成立する際に（第１ＫＴ状態で制御されてから３９，６４，８９変動目に）、特定変動パターン（例えば、２５秒の変動パターン：図９−４の（Ｅ）の第２変動パターン＃６２，＃６３）により可変表示を行うことが可能（例えば、）であり、前記演出実行手段は、前記特定変動パターンの可変表示に対応して、前記第２特別状態への移行（小当たりＲＵＳＨモードへの移行）を報知する報知演出（例えば、図９−５の（Ｄ）および（Ｇ）のバトル勝利演出）を実行可能である。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
第１可変表示手段と第２可変表示手段とにおいて可変表示を実行した後に、特殊状態に制御可能な遊技機であって、
前記第１可変表示手段における可変表示に基づいて前記特殊状態に制御されるときよりも、前記第２可変表示手段における可変表示に基づいて前記特殊状態に制御されるときの方が、遊技者にとって有利になりやすく、
普通図柄の可変表示の表示結果が所定結果となったことに基づいて、閉状態から該閉状態よりも遊技媒体が進入しやすい開状態に変化する可変進入手段と、
前記可変進入手段に遊技媒体が進入したことに基づいて、前記第２可変表示手段の可変表示に関する情報を第２保留情報として記憶可能な保留記憶手段と、を備え、
通常状態よりも前記可変進入手段が前記開状態になりやすい特別状態に制御可能であり、
前記特別状態における可変表示の実行回数に基づいて前記特別状態を終了させる特別状態終了手段をさらに備え、
前記特別状態終了手段は、
前記特別状態における可変表示の回数を更新し、前記特別状態における可変表示の回数が第１回数となったときに、前記特別状態を終了可能であるとともに、
前記特別状態における前記特殊状態の回数を更新し、前記特別状態における前記特殊状態の回数が第２回数となったときに、前記特別状態を終了可能であり、
前記特別状態における最終回の可変表示において、前記保留記憶手段の記憶する前記第２保留情報の数が所定数に達しなかった場合、当該可変表示の終了時に前記特別状態を終了させ、
前記特別状態における可変表示の回数として、前記第１可変表示手段及び前記第２可変表示手段における可変表示の回数を更新し、
前記特別状態における前記特殊状態の回数として、前記第２可変表示手段における可変表示に基づく前記特殊状態と前記第１可変表示手段における可変表示に基づく前記特殊状態とのうち、前記第２可変表示手段における可変表示に基づく前記特殊状態の回数を更新する、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、
第１可変表示手段と第２可変表示手段とにおいて可変表示を実行した後に、特殊状態に制御可能な遊技機であって、
前記第１可変表示手段における可変表示に基づいて前記特殊状態に制御されるときよりも、前記第２可変表示手段における可変表示に基づいて前記特殊状態に制御されるときの方が、遊技者にとって有利になりやすく、
普通図柄の可変表示の表示結果が所定結果となったことに基づいて、閉状態から該閉状態よりも遊技媒体が進入しやすい開状態に変化する可変進入手段と、
前記可変進入手段に遊技媒体が進入したことに基づいて、前記第２可変表示手段の可変表示に関する情報を第２保留情報として記憶可能な保留記憶手段と、を備え、
通常状態よりも前記可変進入手段が前記開状態になりやすい特別状態に制御可能であり、
前記特別状態における可変表示の実行回数に基づいて前記特別状態を終了させる特別状態終了手段をさらに備え、
前記特別状態終了手段は、
前記特別状態における可変表示の回数を更新し、前記特別状態における可変表示の回数が第１回数となったときに、前記特別状態を終了可能であるとともに、
前記特別状態における前記特殊状態の回数を更新し、前記特別状態における前記特殊状態の回数が第２回数となったときに、前記特別状態を終了可能であり、
前記特別状態における最終回の可変表示において、前記保留記憶手段の記憶する前記第２保留情報の数が所定数に達しなかった場合、当該可変表示の終了時に前記特別状態を終了させ、
前記特別状態における可変表示の回数として、前記第１可変表示手段及び前記第２可変表示手段における可変表示の回数を更新し、
前記特別状態における前記特殊状態の回数として、前記第２可変表示手段における可変表示に基づく前記特殊状態と前記第１可変表示手段における可変表示に基づく前記特殊状態とのうち、前記第２可変表示手段における可変表示に基づく前記特殊状態の回数を更新する。
（１）他の態様に係る遊技機は、
第１可変表示手段（例えば第１特別図柄表示器８ａ）と第２可変表示手段（例えば第２特別図柄表示器８ｂ）とにおいて可変表示を実行した後に、特殊状態に制御可能な遊技機（例えば７３ＡＫに係るパチンコ遊技機１）であって、
前記第１可変表示手段における可変表示に基づいて前記特殊状態に制御されるときよりも、前記第２可変表示手段における可変表示に基づいて前記特殊状態に制御されるときの方が、遊技者にとって有利になりやすく（例えば図３６−１、図３６−２）、
普通図柄の可変表示の表示結果が所定結果（例えば普通図柄が当り）となったことに基づいて、閉状態から当該閉状態よりも遊技媒体が入賞しやすい開状態に変化する可変入賞手段（例えば可変入賞球装置１５）と、
前記可変入賞手段に遊技媒体が進入したことに基づいて、前記第２可変表示手段の可変表示に関する情報を第２保留情報として記憶可能な保留記憶手段（例えば第２保留記憶バッファ）を備え、
通常状態よりも前記可変入賞装置が前記開状態になりやすい特別状態（例えば時短状態、高ベース状態）に制御可能であり（例えばステップＳ１７０の処理を実行するＣＰＵ５６）と、
前記特別状態における可変表示の実行回数に基づいて前記特別状態を終了させる特別状態終了手段（例えばステップ７３ＡＫＳ０１３、ステップ７３ＡＫＳ０２８、ステップ７３ＡＫＳ１０６の処理を実行するＣＰＵ５６）と、をさらに備え、
前記特別状態終了手段は、
前記特別状態における可変表示の回数を更新し、前記特別状態における可変表示の回数が第１回数となったときに、前記特別状態を終了可能である（例えばステップ７３ＡＫＳ００７、ステップ７３ＡＫＳ０２８、ステップＳ１４９の処理を実行する）とともに、
前記特別状態における前記特殊状態の回数を更新し、前記特別状態における前記特殊状態の回数が第２回数となったときに、前記特別状態を終了可能であり（例えばステップ７３ＡＫＳ０２５の処理を実行する）、
前記特別状態における可変表示の回数として、前記第１可変表示手段及び前記第２可変表示手段における可変表示の回数を更新し（例えばステップ７３ＡＫＳ００２、ステップＳ１４３の処理を実行する）、
前記特別状態における前記特殊状態の回数として、前記第２可変表示手段における可変表示に基づく前記特殊状態と前記第１可変表示手段における可変表示に基づく前記特殊状態とのうち、前記第２可変表示手段における可変表示に基づく前記特殊状態の回数を更新する（例えばステップ７３ＡＫＳ０２２、ステップ７３ＡＫＳ０２３の処理を実行する）。
このような構成によれば、好適に特別状態へ制御することができる。